(57)【要約】【課題】線虫の嗅覚を利用した癌の検出方法を簡易に行える検査キットを提供する。【解決手段】試薬として線虫を入れ、検体として尿を入れて癌の有無の検査を行う検査キット１０は、平らな底面３０を有する凹部２０が形成された本体部１５と、線虫が尿に寄ることができないように、底面を線虫Ａが入れられる試薬領域ａと尿Ｂが入れられる検体領域ｂとに仕切り、また、線虫が尿に寄ることができるように、凹部２０から取り外すことができる仕切り部材４０とを備える。【選択図】図５
2018165705.tif 000002
【特許請求の範囲】
【請求項１】
試薬として線虫を入れ、検体として尿を入れて癌の有無の検査を行う検査キットであって、
平らな底面を有する凹部が形成された本体部と、
前記線虫が前記尿に寄ることができないように、前記底面を前記線虫が入れられる試薬領域と前記尿が入れられる検体領域とに仕切り、また、前記線虫が前記尿に寄ることができるように、前記凹部から取り外すことができる仕切り部材とを備える、検査キット。
【請求項２】
前記本体部は、前記底面を形成している底部を有し、
前記底部は透過性材料で形成されている、請求項１に記載の検査キット。
【請求項３】
前記底部は、茶色である、請求項２に記載の検査キット。
【請求項４】
前記仕切り部材は、板状の部材であり、
前記本体部は、前記仕切り部材が差し込まれるスリットが形成された側部を有する、請求項１から３のいずれかに記載の検査キット。
【請求項５】
前記凹部の開口を、取り外し可能に塞ぐ上蓋を備える、請求項１から４のいずれかに記載の検査キット。
【発明の詳細な説明】
【技術分野】
【０００１】
本発明は、試薬として線虫を入れ、検体として尿を入れて癌の有無の検査を行う検査キットに関する。
【背景技術】
【０００２】
癌を早期に発見できれば、診療にかかる精神的、身体的、経済的、社会的負担が軽く、根治の可能性が高い。
【０００３】
癌を早期発見する方法として、様々な研究がされているところであるが、線虫を、被検者由来の生体関連物質又はその処理物の存在下で飼育し、線虫の嗅覚による化学走性を指標として癌を検出する、癌の検出方法が知られている（特許文献１）。
【先行技術文献】
【特許文献】
【０００４】
【特許文献１】国際公開第２０１５／０８８０３９号
【発明の概要】
【発明が解決しようとする課題】
【０００５】
しかし、特許文献１の記載には、医療現場において、簡易に検査を行える検査装置等の技術の開示はない。
本発明の課題は、線虫の嗅覚を利用した癌の検出方法を簡易に行える検査キットを提供することにある。
【課題を解決するための手段】
【０００６】
上記課題を解決するため、本発明の検査キットは、試薬として線虫を入れ、検体として尿を入れて癌の有無の検査を行う検査キットであって、平らな底面を有する凹部が形成された本体部と、前記線虫が前記尿に寄ることができないように、前記底面を前記線虫が入れられる試薬領域と前記尿が入れられる検体領域とに仕切り、また、前記線虫が前記尿に寄ることができるように、前記凹部から取り外すことができる仕切り部材とを備えることを特徴とする。
【０００７】
本発明の検査キットにおいて、前記本体部は、前記底面を形成している底部を有し、前記底部は透過性材料で形成されていることを特徴とする。
【０００８】
本発明の検査キットにおいて、前記底部は、茶色であることを特徴とする。
【０００９】
本発明の検査キットにおいて、前記仕切り部材は、板状の部材であり、前記本体部は、前記仕切り部材が差し込まれるスリットが形成された側部を有することを特徴とする。
【００１０】
本発明の検査キットにおいて、前記凹部の開口を、取り外し可能に塞ぐ上蓋を備えることを特徴とする。
【発明の効果】
【００１１】
本発明によれば、線虫の嗅覚を利用した癌の検出方法を簡易に行える検査キットを提供することができる。
【図面の簡単な説明】
【００１２】
【図１】本発明に係る検査キットの斜視図である。
【図２】図１に示す検査キットから上蓋を取り除いた斜視図である。
【図３】図１に示す検査キットのＩＩＩ−ＩＩＩ断面図である。
【図４】図１に示す検査キットのＩＶ−ＩＶ断面図である。
【図５】（ａ）は、図１に示す検査キットに試薬と検体とを入れた状態の上面図である。（ｂ）は、（ａ）に続く検査キットの上面図である。
【発明を実施するための形態】
【００１３】
以下、図面を参照して本発明を実施するための形態について詳細に説明する。
図１から図４を参照して、本発明に係る検査キット１０の説明をする。
図１は、本発明に係る検査キットの斜視図である。図２は、図１に示す検査キットから上蓋を取り除いた斜視図である。図３は、図１に示す検査キットのＩＩＩ−ＩＩＩ断面図である。図４は、図１に示す検査キットのＩＶ−ＩＶ断面図である。
【００１４】
図１から図４に示すように、検査キット１０は、試薬として線虫Ａ（図５参照）を入れ、検体として尿Ｂ（図５参照）を入れて癌の有無の検査を行うキットであり、本体部１５と、仕切り部材４０と、上蓋５０とを備える。
【００１５】
本体部１５は、直方体形状を有し、その６つの面のうち、１つの面に形成された凹部２０を有する。凹部２０は、平らな底面３０を有する。底面３０は、長辺と短辺とを有する長方形を有する。
【００１６】
本体部１５は、凹部２０の底面３０を形成している底部１６と、底面３０の長辺から延在し、凹部２０の一対の側面２２を形成する側面部１７と、底面３０の短辺から延在し、凹部２０の一対の側面２４を形成する側面部１８とを有する。
【００１７】
一対の側面部１７には、それぞれ、底面３０に対して、直角の方向に伸びる一対のスリット２５が形成されている。スリット２５は、底面３０の表面まで延在している。スリット２５は、仕切り部材４０の端部が摺動可能な幅とされる。スリット２５は、仕切り部材４０が差し込まれた状態において、試薬や検体がスリット２５と仕切り部材４０との間の隙間から洩れないような幅であることが好ましい。
【００１８】
上下方向（底面３０に直角の方向）において、一対の側面部１８の一方は、他方より、底面３０からの高さが低くされている。したがって、凹部２０の開口は、一対の側面部１８の一方の部分が段差で低くされている。
【００１９】
凹部２０の開口には底面３０と平行方向に伸びる一対のスリット２８が形成されている。上下方向において、スリット２８は、一対の側面部１８の一方の部分の上端部より上側に位置している。
【００２０】
底部１６は、透過性材料で形成されていることが好ましく、さらには、本体部１５は、透過性材料で形成されていることが好ましい。底部１６は、茶色であることが好ましく、さらには、本体部１５が茶色で形成されていることが好ましい。本体部１５は、樹脂で形成されていることが好ましい。
【００２１】
仕切り部材４０は、板状の部材であり、矩形状を有する。仕切り部材４０の一対の側部は、一対のスリット２５に、摺動可能に差し込むことができる厚さを有する、仕切り部材４０の他の一対の側部の底面３０側の側部は、平らな底面３０に隙間無く接触できるよう、平らな形状であることが好ましい。
【００２２】
上蓋５０は、底面３０より、若干短辺の長さが長い、板形状を有する。上蓋５０は、凹部２０の開口の近傍に形成された一対のスリット２８に摺動可能な一つの側部を有する。これにより、上蓋５０は、凹部２０の開口を取り外し可能に塞ぐことができる。
【００２３】
スリット２８とスリット２５とは、側面部１７において、直交している。仕切り部材４０の端部が底面３０に接触するように仕切り部材４０がスリット２５に差し込まれた状態において、上蓋５０をスリット２８に差し込むことができる。上蓋５０がスリット２８に差し込まれると、スリット２５に差し込まれた仕切り部材４０は、底面３０に接触した状態を維持する。
【００２４】
以上の検査キット１０は、以下のように用いられる。
【００２５】
先ず、図５（ａ）に示すように、上蓋５０を取り、凹部２０に仕切り部材４０が差し込まれた状態にする。この状態では、凹部２０の底面３０を、２つの領域に分けられている。底面３０の２つの領域は、試薬領域ａと検体領域ｂとされる。
【００２６】
次に、試薬領域ａに試薬として線虫Ａを入れ、検体領域ｂに検体として尿Ｂを入れる。このとき、仕切り部材４０が凹部２０に差し込まれ、仕切り部材４０の端部が底面３０に接触しているので、底面３０は線虫Ａが入れられる試薬領域ａと尿Ｂが入れられる検体領域ｂとに仕切られている。
【００２７】
次に、図５（ｂ）に示すように、仕切り部材４０を凹部２０から取り外す。これにより、線虫Ａが尿Ｂに寄ることができるようになる。
【００２８】
このとき、検体領域ｂにある尿Ｂに癌細胞が含まれていると、試薬領域ａにある線虫Ａは、線虫Ａの嗅覚による化学走性により、検体領域ｂの尿Ｂに寄っていく。
【００２９】
そこで、線虫Ａの様子を観察することにより、尿Ｂに癌細胞が含まれているか否かを判断することができる。
【００３０】
また、底部１６は、茶色の透過性材料で形成されていることにより、線虫Ａが寄っている様子を容易に観察することができる。
【００３１】
このように、検査キット１０は、線虫Ａが尿Ｂに寄ることができないように、底面３０を線虫Ａが入れられる試薬領域ａと尿Ｂが入れられる検体領域ｂとに仕切り、また、線虫Ａが尿Ｂに寄ることができるように、凹部２０から取り外すことができる仕切り部材４０を備えているので、線虫Ａの嗅覚を利用した癌の検出方法を簡易におこなうことができる。
【００３２】
以上、実施するための形態を用いて本発明を説明したが、本発明の技術的範囲は上記実施するための形態に記載の範囲に限定されないことは言うまでもない。上記実施するための形態に、多様な変更又は改良を加えることが可能であることが当業者に明らかである。また、その様な変更又は改良を加えた形態も本発明の技術的範囲に含まれ得ることが、特許請求の範囲の記載から明らかである。
【符号の説明】
【００３３】
ａ  試薬領域
ｂ  検体領域
Ａ  線虫（試薬）
Ｂ  尿（検体）
１０  検査キット
１５  本体部
１６  底部
１７、１８  側面部
２０  凹部
２２、２４  側面
２５、２８  スリット
３０  底面
４０  仕切り部材
５０  上蓋
【図１】
2018165705.tif 000003
【図２】
2018165705.tif 000004
【図３】
2018165705.tif 000005
【図４】
2018165705.tif 000006
【図５】
2018165705.tif 000007